(57)【要約】      （修正有）【課題】吸収体が容易に変形するとともに、吸収体が臀部に食い込むことを抑えることができる使い捨て着用物品を提供する。【解決手段】使い捨て着用物品であるおむつは、前ウエスト域と、後ウエスト域と、前後ウエスト域の間に位置するクロッチ域とを含み、少なくともクロッチ域に配置された吸収体４０とを含む。吸収体４０は、前端縁４０ａおよび後端縁４０ｂと、前端縁４０ａおよび後端縁４０ｂから互いに並行して縦方向Ｙへ延びる直状部４０ｃ，４０ｄと、直状部４０ｃ，４０ｄの間に位置して横方向Ｘの間隔が狭くなるように互いに近接する１対の両側縁４０ｅとを有するとともに、両側縁４０ｅの横方向Ｘにおける内方の肌対向面に位置して縦方向Ｙへ延びる１対の凹条溝４２を有する。１対の凹条溝４２は、横方向Ｘの間隔が狭くなる幅狭部４２ａと、幅狭部４２ａから後端縁４０ｂへ向けて横方向Ｘの間隔が徐々に大きくなる傾斜部４２ｂとを有し、後端縁４０ｂの内方に位置する。【選択図】図３
0003207195.tif 000002
【実用新案登録請求の範囲】
【請求項１】
横方向および縦方向と、肌対向面および非肌対向面とを有し、前ウエスト域と、後ウエスト域と、前後ウエスト域の間に位置するクロッチ域とを含み、少なくとも前記クロッチ域に配置された吸収体とを含む使い捨て着用物品であって、
前記吸収体は、前端縁および後端縁と、前記前端縁および前記後端縁から互いに並行して前記縦方向へ延びる直状部と、前記直状部の間に位置して前記横方向の間隔が狭くなるように互いに近接する１対の両側縁とを有するとともに、前記両側縁の前記横方向における内方の前記肌対向面に位置して前記縦方向へ延びる１対の凹条溝を有し、
前記１対の凹条溝は、前記横方向の間隔が狭くなる幅狭部と、前記幅狭部から前記後端縁へ向けて前記横方向の間隔が徐々に大きくなる傾斜部とを有し、前記後端縁の内方に位置することを特徴とする着用物品。
【請求項２】
前記吸収体は、前記前端縁と、前記後端縁と、前記直状部と、前記１対の凹条溝と、１対の凹条溝を延長する仮想線とによって画成される領域に凹部を有し、
前記凹部は、前記縦方向および前記横方向に間隔を置いて配置してある請求項１に記載の着用物品。
【請求項３】
前記１対の凹条溝と前記凹部とが平面視において重なっていない請求項２に記載の着用物品。
【請求項４】
前記吸収体は、吸液性コアと、前記吸液性コアの少なくとも一部を覆うコアカバーシートとを含み、
少なくとも前記後ウエスト域において前記吸収体の前記肌対向面には、前記直状部と前記凹条溝との間に非凹部が位置する請求項１〜３のいずれかに記載の着用物品。
【請求項５】
前記吸収体は、前記肌対向面に位置する身体側ライナをさらに有し、
前記身体側ライナの周縁部は、前記コアカバーシートに対して非接合である一方、前記周縁部の内方では、前記コアカバーシートに接合されている請求項４に記載の着用物品。
【請求項６】
前記縦方向における寸法を二等分して横方向へ延びる横軸を有し、
前記１対の凹条溝は、前記横軸において、前記横方向の間隔が最も狭くなる最狭部を有する請求項１〜５のいずれかに記載の着用物品。
【請求項７】
前記１対の凹条溝は前記縦方向へ連続して延び、
前記１対の凹条溝の端部は、１対の直状部の間に位置する請求項１〜６のいずれかに記載の着用物品。
【請求項８】
前記吸収体を含む吸液構造体を有し、
前記吸液構造体は、前記横方向へ離隔して前記縦方向へ延びる１対の防漏カフを有し、
前記防漏カフは、前記身体側ライナに固定されて前記縦方向へ離隔する両端固定部と、前記コアカバーシートの両側縁部に固定される近位縁部と、前記両端固定部の間に位置して前記縦方向へ延び、前記身体側ライナに対して非固定の遠位縁部と、前記遠位縁部に位置して前記縦方向へ伸縮可能な態様で延びるカフ弾性体とを有し、
前記後ウエスト域において、前記カフ弾性体と前記１対の凹条溝とが平面視において重ならない請求項５に記載の着用物品。
【考案の詳細な説明】
【技術分野】
【０００１】
この考案は、使い捨て着用物品に関する。
【背景技術】
【０００２】
従来、横方向および縦方向と、肌対向面と非肌対向面と、縦方向の寸法を二等分する縦軸と、前ウエスト域と、後ウエスト域と、前後ウエスト域の間に位置するクロッチ域とを含み、少なくともクロッチ域に配置された吸収体とを含む使い捨て着用物品は公知である。
【０００３】
例えば、特許文献１には、吸収体が、前端縁および後端縁と、前記前端縁および前記後端縁から互いに並行して縦方向へ延びる直状部と、前記直状部の間に位置して横方向の間隔が狭くなるように互いに近接する１対の両側縁とを有する使い捨ておむつが開示されている。
【０００４】
吸収体は、両側縁から縦軸に近接するように延び、吸液性コアが存在しない非存在領域によって画成される二対の変形誘導部と、二対の変形誘導部の間に位置する中間部と、中間部の前方に位置する前方部と、中間部の後方に位置する後方部とを有している。このため、着用状態においては、中間部の両側部と、中間部と前方部との境界部と、中間部と後方部との境界部とが折れ曲がり、吸収体を凹状（いわゆるカップ状）に変形させることができる。
【先行技術文献】
【特許文献】
【０００５】
【特許文献１】特開２０１１−２４４８６４号公報（ＪＰ２０１１−２４４８６４）
【考案の概要】
【考案が解決しようとする課題】
【０００６】
しかしながら、特許文献１に記載されている発明では、変形誘導部によって吸収体が容易に変形するため、吸収体の後方部が臀部に食い込むおそれがあった。
【０００７】
そこで、本考案の目的は、従来の技術の改良であって、吸収体が容易に変形するとともに、吸収体が臀部に食い込むことを抑えることができる使い捨て着用物品の提供にある。
【課題を解決するための手段】
【０００８】
上記課題を達成するために、本考案が対象とするのは、横方向および縦方向と、肌対向面および非肌対向面とを有し、前ウエスト域と、後ウエスト域と、前後ウエスト域の間に位置するクロッチ域とを含み、少なくとも前記クロッチ域に配置された吸収体とを含む使い捨て着用物品である。
【０００９】
本考案は、上記着用物品において、前記吸収体は、前端縁および後端縁と、前記前端縁および前記後端縁から互いに並行して前記縦方向へ延びる直状部と、前記直状部の間に位置して前記横方向の間隔が狭くなるように互いに近接する１対の両側縁とを有するとともに、前記両側縁の前記横方向における内方の前記肌対向面に位置して前記縦方向へ延びる１対の凹条溝を有し、前記１対の凹条溝は、前記横方向の間隔が狭くなる幅狭部と、前記幅狭部から前記後端縁へ向けて前記横方向の間隔が徐々に大きくなる傾斜部とを有し、前記後端縁の内方に位置することを特徴とする。
【００１０】
前記吸収体は、前記前端縁と、前記後端縁と、前記直状部と、前記１対の凹条溝と、１対の凹条溝を延長する仮想線とによって画成される領域に凹部を有し、前記凹部は、前記縦方向および前記横方向に間隔を置いて配置してある。よって、凹部によって吸収体が横方向へ縮むことを抑えることができるため、着用者の臀部を確実に覆うことができる。しかも、縦方向において、凹条溝が存在する部分と存在しない部分との間で剛性の相違が発生するため、凹条溝の端部で吸収体を確実に屈曲させることができる。
【００１１】
前記１対の凹条溝と前記凹部とが平面視において重なっていない。よって、凹条溝が存在する部分で吸収体を変形させる一方、凹部が存在する部分で吸収体の変形を抑えることができるため、吸収体が不規則に変形することを抑えることができる。
【００１２】
前記吸収体は、吸液性コアと、前記吸液性コアの少なくとも一部を覆うコアカバーシートとを含み、前記後ウエスト域において前記吸収体の前記肌対向面には、前記直状部と前記凹条溝との間に非凹部が位置する。よって、吸収体を、横方向および縦方向に交差する厚さ方向へ圧搾して凹条溝を形成するとき、凹条溝と直状部とが交差していると、その交差箇所でコアカバーシートが破れて吸液性コアが肌対向面から露出するおそれがあるが、直状部と凹条溝との間に非凹部が位置するため、吸液性コアが肌対向面から露出することを抑えることができる。
【００１３】
前記吸収体は、前記肌対向面に位置する身体側ライナをさらに有し、前記身体側ライナの周縁部は、前記コアカバーシートに対して非接合である一方、前記周縁部の内方では、前記コアカバーシートに接合されている。よって、身体側ライナの周縁部の剛性が大きくなることを抑え、肌トラブルの発生を抑えることができ、周縁部の内方では、コアカバーシートに身体側ライナが固定されているため、吸液性コアが肌対向面から露出することを抑えることができる。
【００１４】
前記縦方向における寸法を二等分して横方向へ延びる横軸を有し、前記１対の凹条溝は、前記横軸において、前記横方向の間隔が最も狭くなる最狭部を有する。よって、最狭部で吸収体を変形させ、着用者の大腿部の内側と、吸収体の両側縁とが当たるのを抑えることができる。
【００１５】
前記１対の凹条溝は前記縦方向へ連続して延び、前記１対の凹条溝の端部は、１対の直状部の間に位置する。よって、凹条溝は縦方向へ連続して延びているため、着用者の大腿部の間では吸収体が容易に変形する一方、１対の凹条溝の端部が、１対の直状部の間に位置するため、幅広部において着用者の臀部を確実に覆うことができる。
【００１６】
前記吸収体を含む吸液構造体を有し、前記吸液構造体は、前記横方向へ離隔して前記縦方向へ延びる１対の防漏カフを有し、前記防漏カフは、前記身体側ライナに固定されて前記縦方向へ離隔する両端固定部と、前記コアカバーシートの両側縁部に固定される近位縁部と、前記両端固定部の間に位置して前記縦方向へ延び、前記身体側ライナに対して非固定の遠位縁部と、前記遠位縁部に位置して前記縦方向へ伸縮可能な態様で延びるカフ弾性体とを有し、前記後ウエスト域において、前記カフ弾性体と前記１対の凹条溝とが平面視において重ならない。よって、後ウエスト域において、カフ弾性体と１対の凹条溝とが平面視において重ならないため、カフ弾性体の収縮力が、凹条溝による吸収体の変形を妨げることを抑えることができる。
【考案の効果】
【００１７】
本考案に係る使い捨て着用物品の一つ以上の実施形態によれば、１対の凹条溝は、横方向の間隔が狭くなる幅狭部と、幅狭部から後端縁へ向けて横方向の間隔が徐々に大きくなる傾斜部とを有し、後端縁の内方に位置するため、吸収体における後端縁と１対の直状部とによって画成される幅広部によって着用者の臀部を確実に覆うことができる。しかも、凹条溝に沿って、吸収体が容易に変形するため、吸収体の変形形状を一定にすることができるとともに、凹条溝は、吸収体の両側縁の内方に位置するとともに、後端縁の内方に位置するため、クロッチ域および後ウエスト域において、凹条溝が着用者の肌に当たるのを抑えることができる。
【図面の簡単な説明】
【００１８】
図面は、本開示に係る本考案の特定の実施の形態を示し、考案の不可欠な構成ばかりでなく、選択的及び好ましい実施の形態を含む。
【図１】本考案の使い捨て着用物品の一例として示す、おむつの斜視図。
【図２】おむつを縦方向及び横方向に伸長させて、ウエストベルトの肌対向面とおむつ本体の肌対向面とを当接させた状態における平面図。
【図３】吸収シャーシから身体側ライナを取り除き、コアカバーシートを肌対向面側から視た平面図。
【図４】図４のＶ−Ｖ線に沿う断面図。
【図５】着用状態のおむつの断面図。
【考案を実施するための形態】
【００１９】
下記の各実施の形態は、本考案の一例である図１〜図６に示す使い捨て着用物品（おむつ）に関し、考案の不可欠な構成ばかりではなく、選択的及び好ましい構成を含む。図２において、後述する各弾性体は、その収縮力に抗して、横方向Ｘ及び縦方向Ｙへ伸長することにより、各弾性体が取り付けられた部材に生じたギャザーが自然な視覚によって実質的に無くなっているように見える程度にまで伸長された状態にある。
【００２０】
図１〜図３を参照すると、本考案に係る使い捨ておむつの一例であるおむつ１０は、相互に直交（交差）する横方向Ｘと縦方向Ｙと厚さ方向Ｚと、肌対向面及びその反対側の非肌対向面と、横方向Ｘにおける寸法を二等分して縦方向へ延びる縦軸Ｑと、縦方向Ｙにおける寸法を二等分して横方向Ｘへ延びる横軸Ｐとを有し、ウエスト回り方向へ延びる環状の弾性ウエストパネル１１と、弾性ウエストパネル１１の肌対向面側に取り付けられた吸収シャーシ（吸液構造体）１２と、前ウエスト域１３と、後ウエスト域１４と、前ウエスト域１３と後ウエスト域１４との間に位置するクロッチ域１５とを含む。
【００２１】
弾性ウエストパネル１１は、ウエスト回り方向へ伸縮する弾性ベルト機能を有し、前ウエスト域１３を形成する前ウエストパネル１６と、後ウエスト域１４を形成する後ウエストパネル１７とを含む。
【００２２】
前ウエストパネル１６は、内端縁１６ａと、外端縁１６ｂと、内端縁１６ａから外端縁１６ｂへ延びる両側縁１６ｃ，１６ｄとによって画定された略長方形状を有する。後ウエストパネル１７は、内端縁１７ａと、外端縁１７ｂと、外端縁１７ｂから縦方向Ｙの内方へ直状に延びる第１両側縁（後ウエスト域の両側縁）１７ｃ，１７ｄと、第１両側縁１７ｃ，１７ｄから縦方向Ｙの内方へ斜めに延びる第２両側縁１７ｅ，１７ｆとによって画定された略台形状を有する。
【００２３】
互いに対向する前ウエストパネル１６の両側縁１６ｃ，１６ｄと後ウエストパネル１７の第１両側縁１７ｃ，１７ｄとは、互いに重ね合わされ、縦方向Ｙへ間隔をあけて並ぶサイドシーム１８によって連結（例えば、熱エンボス加工、ソニック等による各種の熱溶着手段によって連結）され、ウエスト開口１９と１対のレッグ開口２０とが画定される。
【００２４】
前後ウエストパネル１６，１７は、それぞれ、肌対向面側に位置する内層シート（内面シート）２１，２２と、非肌対向面側に位置する外層シート（外面シート）２３，２４とを含む。内外層シート２１〜２４は、質量１０〜３０ｇ／ｍ２のＳＭＳ（スパンボンド・メルトブローン・スパンボンド）繊維不織布、スパンボンド繊維不織布若しくはエアスルー繊維不織布、または、プラスチックシート、開孔プラスチックシート及びそれらのラミネートシートなどを用いることができる。
【００２５】
前後ウエストパネル１６，１７の内層シート２１，２２と外層シート２３，２４との間には、ストリング状又はストランド状の複数条の前後ウエスト弾性体（弾性部材）２７，２８が横方向Ｘへ伸縮可能にそれぞれ配設されており、前後ウエストパネル１６，１７は少なくとも横方向Ｘへ弾性化されている。前ウエスト弾性体２７は、ウエスト開口１９に沿って横方向Ｘへ延びる前上方ウエスト弾性体２７Ａと、前上方ウエスト弾性体２７Ａと内端縁１６ａとの間において横方向Ｘへ延びる前下方ウエスト弾性体２７Ｂとを有する。後ウエスト弾性体２８は、ウエスト開口１９に沿って横方向Ｘへ延びる後上方ウエスト弾性体２８Ａと、後上方ウエスト弾性体２８Ａと内端縁１７ａとの間において横方向Ｘへ延びる後下方ウエスト弾性体２８Ｂとを有する。
【００２６】
前後下方ウエスト弾性体２７Ｂ，２８Ｂは、それぞれ、前後ウエスト域１３，１４の中央部においてその一部が切断又は除去されており、前後非伸縮域３６，３７が画定される。このように、前後非伸縮域３６，３７が前後ウエスト域１３，１４の中央部に位置することから、前後ウエストパネル１６，１７の内面に位置する吸収シャーシ１２の中央部（吸液性コアの中央部）に前後下方ウエスト弾性体２７Ｂ，２８Ｂの収縮力が直接作用されてギャザー等が形成されないので、その収縮力が作用することによる吸収性能の低下を抑制することができる。
【００２７】
前後ウエスト弾性体２７，２８としては、例えば、繊度が４７０〜１２４０ｄｔｅｘであって，１．５〜３．５倍に伸長された状態で配設されたストリング状又はストランド状の弾性材料を用いることができる。前後ウエスト弾性体２７，２８の繊度、伸長倍率、各弾性体間の離間寸法（ピッチ）等の条件は適宜変更することが可能であるが、着用者の身体に安定的に着用されるために、前後上方ウエスト弾性体２７Ａ，２８Ａによる伸縮域の伸長力が、前後下方ウエスト弾性体２７Ｂ，２８Ｂによる伸縮域のそれよりも大きくなるように各弾性体の条件を設定することが好ましい。
【００２８】
図２及び図３を参照すると、吸収シャーシ１２は、前後ウエストパネル１６，１７の肌対向面に取り付けられた前後端部１２Ａ，１２Ｂと、少なくともクロッチ域１５において縦方向Ｙへ延びる吸収体４０と、吸収体４０の肌対向面側に位置する親水性の繊維不織布から形成された透液性の身体側ライナ（トップシート）４４と、吸収体４０の非肌対向面側に位置する疎水性又は難透液性の繊維不織布から形成されたバックシート４５と、吸収体４０とバックシート４５との間に配置された、少なくとも吸収体４０のバックシート４５と対向する面全体を被覆する大きさを有する不透液性の防漏シート４６とを含む。身体側ライナ４４とバックシート４５には、ＳＭＳ繊維不織布やスパンボンド不織布等の各種公知の繊維不織布を用いることができる。
【００２９】
吸収体４０は、所要量の超吸収性ポリマー粒子とフラッフパルプとを混合した吸液性コア４１を含む。吸液性コア４１は、おむつ１０を構成する内外層シート２１〜２４等のシート部材に比して剛性の高い半剛性を有する。また、吸液性コア４１は、縦方向Ｙにおける中央部が幅狭状を有するパネル形態をなすものであって、その全体がティッシュ等の液拡散のコアカバーシート４１ｂによって覆われている（図４参照）。
【００３０】
吸収体４０は、横方向へ直状にそれぞれ延びる前端縁４０ａおよび後端縁４０ｂと、前端縁４０ａおよび後端縁４０ｂから縦方向Ｙへ延びる２対の直状部４０ｃ，４０ｄと、縦方向Ｙへ離隔する直状部４０ｃ，４０ｄの間に位置し、横方向Ｘの間隔が小さくなるように互いに近接する１対の両側縁４０ｅとを有し、前端縁４０ａおよび後端縁４０ｂと、２対の直状部４０ｃ，４０ｄと、両側縁４０ｅとによって外形輪郭が画定される。
【００３１】
２対の直状部４０ｃ，４０ｄのうちの一方の直状部４０ｃは、前ウエスト域１３のクロッチ域１５側に位置する一方、他方の直状部４０ｄは、後ウエスト域１４のクロッチ域１５側に位置する。吸収体４０は、換言すれば、前端縁４０ａと１対の直状部４０ｃとによって画成され、前ウエスト域１３に位置する第１幅広部４３ａと、後端縁４０ｂと１対の直状部４０ｄとによって画成され、後ウエスト域１４に位置する第２幅広部４３ｂと、縦方向Ｙにおいて、第１幅広部４３ａと第２幅広部４３ｂとの間に位置し、両側縁４０ｅによって画成される幅狭部４３ｃとを有している。
【００３２】
吸収体４０は、図３に示すように、縦方向Ｙへ連続して延び、横方向Ｘへ離隔する１対の凹条溝４２を有している。凹条溝４２は、肌対向面側に位置するコアカバーシート４１ｂと、肌対向面側に位置する吸液性コア４１ａとに形成され、身体側ライナ４４には形成されていない。凹条溝４２は、前ウエスト域１３において、両側縁４０ｅに交差し、前端縁４０ａには交差せずに、縦方向Ｙの内方に、一方の端部４２ｅが位置している。また、凹条溝４２は、クロッチ域１５の横方向Ｘにおいて、両側縁４０ｅに交差せず、横方向Ｘの内方に位置している。さらに、凹条溝４２は、後ウエスト域１４において、両側縁４０ｅに交差しないとともに、後端縁４０ｂにも交差せず、縦方向Ｙの内方に他方の端部４２ｄが位置している。このような凹条溝４２は、横軸Ｐと交差する位置に、横方向Ｘの間隔が最も小さい最狭部４２ａを有し、前端縁４０ａおよび後端縁４０ｂへ向けて横方向Ｘの間隔が徐々に大きくなるように縦方向Ｙおよび横方向Ｘに対して傾斜する傾斜部４２ｂ，４２ｃを有している。縦方向Ｙにおいて、一方の側に配置してある傾斜部４２ｃは、クロッチ域１５の前ウエスト域１３側、および前ウエスト域１３のクロッチ域１５側に配置してあり、他方の側に配置してある傾斜部４２ｂは、クロッチ域１５の後ウエスト域１４側に配置してある。
【００３３】
吸収体４０は、さらに凹部５５を有している。凹部５５は、例えば、ドット状をし、縦方向Ｙと横方向Ｘとに間隔をあけて配置してある（例えば、縦方向Ｙおよび横方向Ｘにおいて、等間隔となるように配置してある）。このような凹部５５は、肌対向面側に位置するコアカバーシート４１ｂと、肌対向面側に位置する吸液性コア４１ａとに形成され、身体側ライナ４４には形成されていない。身体側ライナ４４の肌対向面からの凹条溝４２の厚さ方向の寸法Ｌ１は、身体側ライナ４４の肌対向面からの凹部55の厚さ方向の寸法Ｌ２よりも大きい。また、凹部５５は、前端縁４０ａと、後端縁４０ｂと、直状部４０ｃ，４０ｄと、１対の凹条溝４２と、１対の凹条溝４２を延長する仮想線５６とによって画定される領域５７にのみ配置してある。
【００３４】
吸収体４０は、１対の凹条溝４２の横方向Ｘの外側と、１対の凹条溝４２の間であって凹部５５が形成された部位を除いた部位に、非凹部５８を有している。より詳細に説明すると、後ウエスト域１４において、吸収体４０の肌対向面には、直状部４０ｄと凹条溝４２との間に非凹部５８が位置している。
【００３５】
吸収体４０における凹条溝４２、凹部５５、および非凹部５８は、例えば、以下のように形成することができる。すなわち、周面が平坦である一方のローラと、周面から径外方向へ突出する第１突起部および第２突起部を有する他方のエンボスローラとを有する加工装置を使用する。第１突起部は、１対の凹条溝４２を形成するものであり、第２突起部は、複数の凹部５５を形成するためのものである。第１突起部の突出寸法は、第２突起部の突出寸法よりも大きい。
【００３６】
このような加工装置を使用し、一方のローラと、他方のエンボスローラとの間に、コアカバーシート４１ｂによって覆われた吸液性コア４１ａを入れ、第１突起部、および第２突起部が存在する部分によって、上方に位置するコアカバーシート４１ｂと吸液性コア４１ａとを圧搾し、凹条溝４２および凹部５５を形成するとともに、第１突起部および第２突起部が存在しない部分によって、非凹部５８を形成する。
【００３７】
このように吸収体４０を形成すると、凹条溝４２が最も剛性が大きく、次に、凹部５５の剛性が大きく、非凹部５８の剛性が最も小さい。
【００３８】
吸収シャーシ１２は、バックシート４５によって形成され、横方向Ｘへ離隔して縦方向Ｙへ延びる１対の防漏カフ４７を有する。防漏カフ４７は、防漏シート４６の両側縁に位置して縦方向Ｙへ延びる折曲ラインにそって肌対向面側へ折曲され、身体側ライナ４４に固定されて縦方向へ互いに離隔する両端固定部４８と、身体側ライナ４４の両側縁部および防漏シート４６の両側縁部に固定される近位縁部４９と、両端固定部４８の間において縦方向Ｙへ延び、かつ近位縁部と並行して縦方向へ延びる遠位縁部５０（自由縁部）とを有する。
【００３９】
遠位縁部５０は、バックシート４５を折り曲げて固定することによって形成されたスリーブ状をなし、縦方向へ延びるストリング状またはストランド状のカフ弾性体５１が伸長状態で収縮可能な態様でバックシート４５に固定してある。カフ弾性体５１が収縮することによって、遠位縁部５０が身体側ライナ４４から着用者の身体側へ離れて防漏カフを形成し、着用者の大腿部にフィットして排泄物の漏れを防止する。バックシート４５の防漏カフ４７において、カフ弾性体５１の横方向Ｘの外側には、縦方向Ｙへ延びる複数条のストリング状またはストランド状のレッグ弾性体５２が伸長状態で収縮可能な態様でバックシート４５に固定してある。
【００４０】
このおむつ１０の前後ウエスト域１３，１４は、肌対向面側に、エンドフラップ５３，５４の両端縁５３ａ，５４ａを覆う一方、平面視において、吸収体４０とは重ならないカバーシート７０，７１を有している。カバーシート７０，７１には、例えば、ＳＭＳ繊維不織布、スパンボンド繊維不織布等を用いることができる。
【００４１】
このようなおむつ１０の着用状態は、図５に示すように、カフ弾性体５１が縦方向Ｙへ収縮して防漏カフ４７が起立し、防漏カフ４７の遠位縁部５０が、着用者Ｂの脚の付け根に当たるとともに、レッグ弾性体５２が縦方向Ｙへ収縮して、レッグ開口２０が着用者Ｂの大腿部にフィットする。また、吸収体４０は、凹条溝４２に沿って、凹条溝４２の横方向Ｘの外側に位置する部位が起立してカップ形状となり、大便等の排泄物を収容する空間６０が形成される。
【００４２】
本実施形態のおむつ１０によれば、吸収体４０における後端縁４０ｂと１対の直状部４０ｄとによって画成される第２幅広部（幅広部）４３ｂによって着用者の臀部を確実に覆うことができる。しかも、凹条溝４２に沿って、吸収体４０が容易に変形するため、吸収体４０の変形形状を一定にすることができるとともに、凹条溝４２は、吸収体４０の両側縁４０ｅに位置するとともに、後端縁４０ｂの内方に位置するため、クロッチ域１５および後ウエスト域１４において、凹条溝４２が着用者の肌に当たるのを抑えることができる。
【００４３】
また、吸収体４０は、前端縁４０ａと、後端縁４０ｂと、直状部４０ｃ，４０ｄと、１対の凹条溝４２と、１対の凹条溝４２を延長する仮想線５６とによって画成される領域５７に凹部５５を有し、凹部５５は、縦方向Ｙおよび横方向Ｘに間隔を置いて配置してあるため、吸収体４０が横方向Ｘへ縮むことを抑えることができる。これにより、着用者の臀部を確実に覆うことができる。しかも、縦方向Ｙにおいて、凹条溝４２が存在する部分と存在しない部分との間で剛性の相違が発生するため、凹条溝４２の端部４２ｄ，４２ｅが位置し、横方向Ｘへ延びる第２仮想線５９で吸収体４０を確実に屈曲させることができる。
【００４４】
さらに、１対の凹条溝４２と凹部５５とが平面視において重なっていないため、凹条溝４２が存在する部分で吸収体４０を変形させる一方、凹部５５が存在する部分で吸収体４０の変形を抑えることができ、これにより、吸収体４０が不規則に変形することを抑えることができる。
【００４５】
また、吸収体４０は、吸液性コア４１ａと、吸液性コア４１ａの少なくとも一部を覆うコアカバーシート４１ｂとを含み、後ウエスト域１４において吸収体４０の肌対向面には、直状部４０ｄと凹条溝４２との間に非凹部５８が位置する。吸収体４０を厚さ方向Ｚへ圧搾して凹条溝４２を形成するとき、凹条溝４２と直状部４０ｄとが交差していると、その交差箇所でコアカバーシート４１ｂが破れて吸液性コア４１ａが肌対向面から露出するおそれがあるが、直状部４０ｄと凹条溝４２との間に非凹部５８が位置するため、吸液性コアが肌対向面から露出することを抑えることができる。
【００４６】
さらに、吸収体４０は、肌対向面に位置する身体側ライナ４４をさらに有し、身体側ライナ４４の周縁部は、コアカバーシート４１ｂに対して非接合である一方、身体側ライナ４４の周縁部の内方では、コアカバーシート４１ｂに接合されているため、身体側ライナ４４の周縁部の剛性が大きくなることを抑え、肌トラブルの発生を抑えることができ、周縁部の内方では、コアカバーシート４１ｂに身体側ライナ４４が固定されているため、吸液性コア４１ａが肌対向面から露出することを抑えることができる。
【００４７】
また、おむつ１０は、縦方向Ｙにおける寸法を二等分して横方向Ｘへ延びる横軸Ｐを有し、１対の凹条溝４２は、横軸Ｐにおいて、横方向Ｘの間隔が最も狭くなる最狭部４２ａを有するため、最狭部４２ａで吸収体４０を変形させ、着用者の大腿部の内側と、吸収体４０の両側縁４０ｅとが当たるのを抑えることができる。
【００４８】
１対の凹条溝４２は縦方向Ｙへ連続して延び、１対の凹条溝４２の端部４２ｄ，４２ｅは、１対の直状部４０ｃ，４０ｄの間に位置する。凹条溝４２は縦方向Ｙへ連続して延びているため、着用者の大腿部の間では吸収体４０が容易に変形する一方、１対の凹条溝４２の端部４２ｄ，４２ｅが、１対の直状部４０ｃ，４０ｄの間に位置するため、第２幅広部（幅広部）４３ｂにおいて着用者の臀部を確実に覆うことができる。
【００４９】
後ウエスト域１３において、カフ弾性体５１と１対の凹条溝４２とが平面視において重ならないため、カフ弾性体５１の収縮力が、凹条溝４２による吸収体４０の変形を妨げることを抑えることができる。
【００５０】
なお、上述した実施の形態には、凹条溝４２の一方の端部４２ｅは、両側縁４０ｅに交差するおむつ１０を説明した。しかし、この考案の凹条溝４２は、それに限られず、凹条溝４２の一方の端部４２ｅが、両側縁４０ｅの横方向Ｘの内方に位置するとともに、前端縁４０ａの縦方向Ｙの内方に位置してもよい。
【００５１】
また、上述した実施の形態には、ドット状の凹部５５を説明した。しかし、この考案の凹部５５は、ドット状に限られず、例えば、三角形、四角形、十字等に形成してもよい。
【００５２】
おむつ１０を構成する部材には、特に明記されていない限りにおいて、本明細書に記載されている材料のほかに、この種の分野において通常用いられている公知の材料を制限なく用いることができる。また、本明細書において使用されている「第１」および「第２」等の用語は、同様の要素、位置等を単に区別するために用いてある。
【符号の説明】
【００５３】
１０    使い捨ておむつ（使い捨て着用物品）
１２    吸収シャーシ（吸液構造体）
１３    前ウエスト域
１４    後ウエスト域
１５    クロッチ域
４０    吸収体
４０ａ  前端縁
４０ｂ  後端縁
４０ｃ  直状部
４０ｄ  直状部
４０ｅ  両側縁
４１ａ  吸液性コア
４１ｂ  コアカバーシート
４２    凹条溝
４４    身体側ライナ
４７    防漏カフ
５５    凹部
５６    仮想線
５７    領域
５８    非凹部
Ｐ      横軸
Ｘ      横方向
Ｙ      縦方向
Ｚ      厚さ方向
【図１】
0003207195.tif 000003
【図２】
0003207195.tif 000004
【図３】
0003207195.tif 000005
【図４】
0003207195.tif 000006
【図５】
0003207195.tif 000007